(57)【特許請求の範囲】
【請求項１】
ドラムから繰り出されるケーブルの繰出し速度を前記ケーブルを牽引する牽引機の牽引速度に追従させるケーブル繰出し装置であって、前記ドラムと前記牽引機との間に設置されて前記ケーブルを挿通させる挿通部材と、前記牽引機に牽引されるケーブルを前記ドラムから繰り出すように前記ドラムを駆動する駆動部と、前記駆動部により繰り出されるケーブルが前記挿通部材を通過する間、前記ケーブルの繰出し速度と前記牽引機の牽引速度との違いから生じる前記ケーブルの緩み具合に応じた通過位置の動きを任意の方向で検知するセンサ部と、前記センサ部により検知される通過位置の動きを前記任意の方向での所定の領域に収束させるように前記駆動部による前記ケーブルの繰出し速度を制御する駆動制御部とを備え、前記挿通部材は前記任意の方向で前記所定の領域を含む複数の領域に区分され、前記駆動制御部は、前記センサ部により検知される通過位置の動きに基づいて現在通過中の領域を前記複数の領域から判定する判定手段と、前記判定手段により判定された領域に応じた繰出し速度を設定する速度設定手段とを有し、前記複数の領域の各々には予め基準となる繰出し速度が割り当てられており、前記速度設定手段は前記複数の領域にそれぞれ割り当てられた繰出し速度に従って繰出し速度の設定を行うとともに、前記速度設定手段は、前記判定手段により判定された領域が少なくとも前記所定の領域である場合、該所定の領域に移る前の繰出し速度に近づくように前記所定の領域に割り当てられた繰出し速度を増減する速度増減手段を有することを特徴とするケーブル繰出し装置。
【発明の詳細な説明】
【０００１】
【産業上の利用分野】
本発明はケーブル繰出し装置に関し、詳しくは、光ファイバーケーブル等のケーブル布設工事に用いるケーブル繰出し用のドラムからケーブルを繰り出す際に、ドラムから繰り出されるケーブルの繰出し速度をケーブルを牽引する牽引機の牽引速度に追従させるケーブル繰出し装置に関する。
【０００２】
【従来の技術】
従来、光ファイバーケーブル等を地下に布設する場合にはケーブル繰出しドラムからマンホールを通過させてケーブルを地下に引き込み、順次牽引機を通過させて地上の所定の場所までケーブルを誘導している。
【０００３】
そして、このような布設作業を行う場合には、ケーブル繰出し側において、ケーブル繰出しドラムを人力で回転してケーブルの繰出しを行っており、各牽引機が配置されている地点や、ケーブルの布設終端の地点とケーブル繰出し点とは、無線機等により連絡をとりながら作業を行っている。
【０００４】
【発明が解決しようとする課題】
しかしながら、従来のケーブル布設作業では、牽引機との連動や繰出しドラムの制動のために多くの作業員を必要とし、また、頻繁に連絡をとりながら作業を行わなければならないため作業効率が上がらず、しかも、ケーブル繰出しドラムを手で回転するため作業が危険である等の問題点があった。
【０００５】
請求項１の発明は、上記のような問題点を解消するためになされたもので、ケーブル布設作業の自動化、能率化を達成するため、牽引機の牽引にスムーズに追従したケーブルの繰出しを実現することができるケーブル繰出し装置を提供することを目的とする。また、牽引機の牽引速度に追従する適正な繰出し速度を迅速に得ることができるケーブル繰出し装置を提供することを目的とする。そして、ケーブルの緩み具合に応じて適正な繰出し速度を得ることができるケーブル繰出し装置を提供することを目的とする。さらに、駆動部の耐久性を高めることができるケーブル繰出し装置を提供することを目的とする。
【０００６】
【課題を解決するための手段】
請求項１の発明に係るケーブル繰出し装置は、ドラムから繰り出されるケーブルの繰出し速度を前記ケーブルを牽引する牽引機の牽引速度に追従させるケーブル繰出し装置であって、前記ドラムと前記牽引機との間に設置されて前記ケーブルを挿通させる挿通部材と、前記牽引機に牽引されるケーブルを前記ドラムから繰り出すように前記ドラムを駆動する駆動部と、前記駆動部により繰り出されるケーブルが前記挿通部材を通過する間、前記ケーブルの繰出し速度と前記牽引機の牽引速度との違いから生じる前記ケーブルの緩み具合に応じた通過位置の動きを任意の方向で検知するセンサ部と、前記センサ部により検知される通過位置の動きを前記任意の方向での所定の領域に収束させるように前記駆動部による前記ケーブルの繰出し速度を制御する駆動制御部とを備え、前記挿通部材は前記任意の方向で前記所定の領域を含む複数の領域に区分され、前記駆動制御部は、前記センサ部により検知される通過位置の動きに基づいて現在通過中の領域を前記複数の領域から判定する判定手段と、前記判定手段により判定された領域に応じた繰出し速度を設定する速度設定手段とを有し、前記複数の領域の各々には予め基準となる繰出し速度が割り当てられており、前記速度設定手段は前記複数の領域にそれぞれ割り当てられた繰出し速度に従って繰出し速度の設定を行うとともに、前記速度設定手段は、前記判定手段により判定された領域が少なくとも前記所定の領域である場合、該所定の領域に移る前の繰出し速度に近づくように前記所定の領域に割り当てられた繰出し速度を増減する速度増減手段を有することを特徴とするものである。
【０００７】
【作用】
請求項１の発明におけるケーブル繰出し装置は、ドラムと牽引機との間に設置した挿通部材にケーブルを挿通させるので、ケーブルの動きは挿通部材の中で規制される。これにより、ケーブルの動きは挿通部材の任意の方向でセンサ部により検知される。ケーブルの通過位置が任意の方向での所定の領域に収束するように、駆動制御部により駆動部の繰出し速度が制御される。これにより、ドラムと牽引機との間でケーブルの緩み具合はほぼ一定となり、ケーブルの繰出し速度が牽引機の牽引速度に追従して適正な繰出し速度が得られる。また、挿通部材が任意の方向で複数の領域に区分されているので、ケーブルは緩み具合に応じて複数の領域を行き来する。センサによる通過位置の検出に伴い駆動制御部では通過位置の動きに基づく現在通過中の領域が判定される。この判定領域に対応する繰出し速度が駆動制御部により設定される。この繰出し速度で駆動部によるケーブルの繰出しが行われる。そして、挿通部材の領域毎に基準となる繰出し速度を割り当てたので、駆動部はケーブルの緩み具合に応じて繰出し速度を変化させるように制御される。さらに、ケーブルが挿通部材の所定の領域に移動した場合、所定の領域に移る前の繰出し速度に近づくように繰出し速度を増減するので、極端な駆動力の変更を必要とせず、これにより駆動部への負荷が軽減される。また繰出し速度を絶えず変化させるようなことはなく、所定の領域と他の領域との間を行き来するケーブルの動きは緩やかとなる。これは繰出し速度を変更する頻度を低下させるものであり、駆動部にかかる負荷が軽減される。
【０００８】
【実施例】
以下に添付寸面を参照して本発明に係る好適な一実施例を詳述する。図１は本発明に係るケーブル繰出し装置の一実施例による概略構成を示す外観斜視図であり、図２は図１に示した駆動部の一例を示す外観斜視図である。図３から図５は図１に示した牽引速度検知ユニットの一例を示し、図３は上面図、図４は側面図、そして、図５は設置状態の一例を示す側面図である。図６は図１に示した牽引速度検知ユニットの設置例を示す模式図、図７は図１に示した駆動制御部の内部構成を示すブロック図、そして、図８は牽引速度検知ユニット内での基準となる繰出し速度の一例を示す図である。
【０００９】
図１において、ケーブル繰出しドラム（以下ドラムという）１は、左右一対のドライブローラ３、３及びフリーローラ４、４を備えた駆動部２によって、回転自在に支持されている。
【００１０】
図２において、駆動部２は、ドラム１の左右のフランジ部１ａ、１ａを支持しているそれぞれ左右一組のドライブローラ３、３及びフリーローラ４、４を有しておりこれらは４つ架台上５，５，５，５にそれぞれ支持されている。なお、Ｊはドラム１のフランジ部１ａ、１ａを各ローラ上に載置する際に用いるジャッキである。
【００１１】
ドラム１の左右のそれぞれのドライブローラ３およびフリーローラ４を載置している架台５、５間はタイロッド７でネジ連結され、ラチェットレンチ等によりタイロッド７を回動してドラム１前後の架台５、５間の間隔を変えドライブローラ３とフリーローラ４間の支持間隔を種々の径のドラム１に対応できるように調節可能としている。
【００１２】
左右のドライブローラ３、３には、駆動源６が連結されている。駆動源６はギヤードモータや、速度可変型の油圧モータ等を用いることができ、後述の駆動制御部１２により駆動制御される。また、左右のドライブローラ３、３を同期をとって回転させるために、左右に一つずつ設けられている駆動源６にロータリエンコーダ等を組み込んでそれぞれの回転量を検出し、両方の駆動源６の回転量を比較して回転量が左右同じになるように制御したり、駆動源６を左右どちらか一方のドライブローラ支持架台５ａにだけ設け、他方のドライブローラ３とは、伝導軸などで機械的に連結して同期をとるようにしてもよい。
【００１３】
図１において、ドラム１から下方に引き出されたケーブルＣはマンホール孔８を通過して地下のマンホール８ａを介してケーブル孔８ｂに誘導され、地下の所定位置に設置された図示していない牽引機によって牽引される。牽引機としては、例えばケーブルＣを両側から一対のクローラ状の無端体で挟持して送り出す構造のものが用いられる。マンホールの孔には牽引速度検知ユニット９が載置されている。
【００１４】
牽引速度検知ユニット９は、図３および図４に示す如く形状をしており、移動のための取っ手を兼ねた左右一対のケーブルガード１０、１０が設けられている。一対のケーブルガード１０、１０はドラム１から繰り出されたケーブルＣを案内するとともに、周辺の部材と接触して損傷しないように保護するためのものである。さらに一対のケーブルガード１０、１０は牽引及び繰出し時におけるケーブルＣの通過位置を規制するように機能する。
【００１５】
一方のケーブルガード１０の下部には、ケーブルガード１０の長手方向に沿って、発光ダイオードなどによって構成された発光部３１ａ，３２ａ，３３ａが配置され、例えばこの実施例では３個配置されている。
【００１６】
また、他方のケーブルガード１０の下部には、ケーブルガード１０の長手方向に沿って、フォトセンサなどの受光部３１ｂ，３２ｂ，３３ｂが前記発光部３１ａ，３２ａ，３３ａと対向した位置に配列されている。
【００１７】
これらの発光部３１ａ，３２ａ，３３ａ及び受光部３１ｂ，３２ｂ，３３ｂの複数組は光センサ列３１，３２，３３を構成しており、ケーブルガード１０，１０の間を通って繰り出されるケーブルＣの通過位置の動きを３つの区切りで検知する。この検知された情報は駆動制御部１２に検知信号として伝送される。本実施例では、３つの光センサ列３１，３２，３３がケーブルガード１０，１０の長手方向に交差するように配置されるので、ケーブルガード１０，１０により形成される通過領域は４つの領域に区分される。従って、ケーブルＣが光センサ列３１，３２，３３のいずれかひとつを横切ると、通過位置が隣接する一方の領域に移動することを示す。
【００１８】
牽引速度検知ユニット９は、図６に示した如く、光センサ列３１をドラム１側に向けて、このドラム１の軸方向に交差する方向に光センサ列３１，３２，３３が並ぶように設置される。ケーブルＣは、不図示の牽引機による牽引速度とドラム１による繰出し速度との違いにより、ドラム１からケーブル孔８ｂまでの間に緩み具合を変化させる。牽引速度が繰出し速度より速い場合には、ケーブルＣの緩み具合は減少して、ケーブルＣはドラム１側に接近する。また牽引速度が繰出し速度より遅い場合には、ケーブルＣの緩み具合は増加して、ケーブルＣはドラム１から離間する。
【００１９】
そこで、牽引速度検知ユニット９では、図３に示した如く、ケーブルガード１０，１０により形成される通過領域は光センサ列３１，３２，３３を境にしてドラム１側より加速ゾーン１０Ａ、管理ゾーン１０Ｂ、減速ゾーン１０Ｃ、停止ゾーン１０Ｄに区分される。加速ゾーン１０ＡはケーブルＣの牽引に対して繰出しが遅れている場合に緩み具合の減少したケーブルＣが通過する領域であり、管理ゾーン１０ＢはケーブルＣの通過位置として目標とする領域である。減速ゾーン１０ＣはケーブルＣの牽引に対して繰出しが速い場合にケーブルＣが通過する領域であり、停止ゾーン１０ＤはケーブルＣの牽引に対して繰出しが速すぎて繰出しの停止を必要とする場合に緩み具合の増加したケーブルＣが通過する領域である。
【００２０】
ケーブルＣをドラム１から繰り出すための初期設定では、図６に示す如く、ケーブルＣを自身の弾性で適度に緩ませ、ケーブルＣの通過位置を予め停止ゾーン１０Ｄにセットする。なお、これは一例であって、この初期設定では、停止ゾーン１０Ｄに限定されず、管理ゾーン１０Ｂ、減速ゾーン１０Ｃのいずれにセットしても良いものである。
【００２１】
ケーブルＣの牽引および繰出しの作業を開始する時点では、牽引が最初に行われる。そこで牽引機が駆動されてケーブルＣが繰出し方向、即ちマンホール孔８の中に引き込まれ始めると、ケーブルＣの緩み具合が減少する。牽引速度検知ユニット９では、ケーブルＣが停止ゾーンから加速ゾーンの方向に向かって移動する。従って、ケーブルＣは、光センサ列３３から順に通過位置の移動を検知される。また牽引機を駆動させる作業開始の段階では、ケーブルＣの通過位置は、ケーブルＣを検知した光センサ列を境にドラム１側のゾーンに位置している。最初の判断では、光センサ列３３による検知が行われるので、ケーブルＣの通過位置は停止ゾーン１０Ｄから減速ゾーン１０Ｃに移動されたものと判断される。
【００２２】
このように、ドラム１を駆動させるまでは、ケーブルＣの緩み具合の減少に従い、検知した光センサ列よりもドラム１側のゾーンにケーブルＣは位置する。ドラム１の駆動については、ケーブルＣが光センサ列により検知され、どのゾーンを通過中であるのか判断できる状態であれば、いつ開始させても良い。
【００２３】
そこで、本実施例では、ゾーンに応じて予め基準となる繰出し速度が決められている。図８には、停止ゾーン１０Ｄを０（ｍ／分）、減速ゾーン１０ＣをＬＳ（ｍ／分）、管理ゾーン１０Ｂをｘ（ｍ／分）（初期値ＩＮＴ（ｍ／分）、ステップ幅ｓ（ｍ／分）、ＨＺ＜ｘ＜ＬＳ（ｍ／分））、加速ゾーン１０ＡをＨＳ（ｍ／分）とした一例が示されている。減速ゾーン１０Ｃからドラム１を駆動させる場合には、Ｌｚ（ｍ／分）による回転速度が得られる。一例として、牽引速度を最大２０（ｍ／分）とした場合、ＬＳを“１５”、ＨＳを“６５”、ＩＮＴを“３０”、ｓを“２”という関係をもたせても良く、任意に設定可能である。
【００２４】
次に駆動制御部１２について図７を用いて説明する。駆動制御部１２は、図７に示した如く、外部電源に接続されたスイッチ盤１３と、駆動源６に三相交流電源を供給するモータ駆動用インバータ１４と、プログラムに従って動作するＣＰＵ１５と、牽引速度検知ユニット９から伝送されるケーブルＣの検知信号に基づくモータ駆動の制御を行うためのプログラム（図９や図１０等のフローに従うプログラム）等を格納したＲＯＭ１６と、各種プログラムのワークエリアとして用いるＲＡＭ１７と、アドレス信号、データ、制御信号を伝送するバス１８とを備えている。スイッチ盤１３は、外部電源から供給される電力を制御部１２内の各部分に配分し、モータ駆動用インバータ１４は、光センサ列３１から３３により検知されたゾーンに応じた繰出し速度を得るための電圧に応じた周波数の３相交流出力を駆動源６に供給する。
【００２５】
なお、ＣＰＵ１５は、光センサ列３１から３３より入力されるケーブルＣの通過位置を示す信号に基づいてモータ駆動用インバータ１４に印加すべき電圧をモータ駆動用インバータ１４に出力するように制御する。
【００２６】
次に動作について説明する。図９および図１０は本実施例によるドラム駆動制御を説明するフローチャートである。なお、以下の説明では、ＣＰＵ１５が全体を制御するものであり、個々の動作については各部で実行されるものである。
【００２７】
ドラム１の駆動に際して、以下の説明では、加速ゾーン１０Ａにおける固定の回転数を加速用回転数、管理ゾーン１０Ｂにおける可変の回転数を管理用回転数、減速ゾーン１０Ｃにおける固定の回転数を減速用回転数と称する。
【００２８】
まず、初期値の設定として、例えば、可変である管理用回転数を初期値に設定する（ステップ１０１）。そして、牽引速度検知ユニット９（光センサ列３１から３３）によるケーブル検知が開始される（ステップ１０２）。作業者はケーブル検知を開始させた後に牽引機による引込みを開始させる。なお、牽引機による牽引速度は一定とする。
【００２９】
牽引機によるケーブルＣの引込みが始まると、適度に緩んでいたケーブルＣは徐々に緩みを減少させ、牽引速度検知ユニット９内の通過位置を停止ゾーン１０Ｄから加速ゾーン１０Ａの方向に向かって移動させる。このとき、光センサ列３３により最初の検知がなされ（ステップ１０３）、ケーブルＣは減速ゾーン１０Ｃに移動する。これにより、停止ゾーン１０Ｄから減速ゾーン１０Ｃに移動したという判定がなされ（ステップ１０４）、減速用回転数（ＬＳ（ｍ／分））が設定されこれが駆動源６に指示されて（ステップ１０５）、この減速用回転数に従いドラム１からケーブルＣが繰り出される（ステップ１０６）。
【００３０】
このドラム１の繰出しにより、牽引によるケーブルＣの急激な緩みが緩和される。そして終了の指示もなく（ステップ１１３）、さらにケーブルＣの緩み具合が減少すると、ケーブルＣは減速ゾーン１０Ｃから管理ゾーン１０Ｃに移動し、この移動が光センサ列３２により検知される（ステップ１０３）。この移動によりケーブルＣは管理ゾーン１０Ｃの中で通過するので（ステップ１０７）、管理ゾーン１０Ｃの初期の管理用回転数（ＩＮＴ（ｍ／分））が設定されこれが駆動源６に指示されて（ステップ１０８）、ケーブルＣの繰出し速度が加速される（ステップ１０９）。
【００３１】
その後、繰出し速度を一定の牽引速度に近づけるとともにケーブルＣの緩み具合が管理ゾーン１０Ｂに収まるように繰出し速度を制御するため、ドラム１の回転数は加速したり減速されたりする。そこで、まだ牽引速度の方が繰出し速度よりも速い場合には、ケーブルＣの通過位置が管理ゾーン１０Ｂから加速ゾーン１０Ａに移動して、光センサ列３１によりケーブルＣの移動が検知される（ステップ１０３、１１０）。これにより、駆動源６に加速用回転数（ＨＳ（ｍ／分））が設定されて、ケーブルＣの繰出し速度は加速される（ステップ１１２）。
【００３２】
本実施例では、少なくとも加速用回転数による繰出し速度は牽引速度よりも速く設定されているので、ケーブルＣの通過位置が加速ゾーン１０Ａに移動しても、ケーブルＣの緩み具合が増加して、再び管理ゾーン１０Ｂに戻るように制御される。また加速ゾーン１０Ａに移動した後の光センサ列３１の検知では、加速ゾーン１０から管理ゾーン１０Ｂへの移動としてケーブルＣの通過位置の判定がなされる。
【００３３】
従って、ケーブルＣが加速ゾーン１０Ａに移動したことを光センサ列３１で検知した後に再びケーブルＣの移動を検知した場合には、ケーブルＣがドラム１から離間する方向、すなわち、管理ゾーン１０Ｂに移動したという判定がなされる（ステップ１０３、１０７、１１０、１１５）。従って、繰出し速度は加速用回転数から管理用回転数に設定される。ここで、ケーブルＣが加速ゾーン１０Ａから管理ゾーン１０Ｂに戻る際に、ドラム１の回転数を加速用回転数から初期値の管理用回転数に戻しても、予め設定されている牽引速度に応じて、再び緩み具合が減少して加速ゾーン１０Ａに戻ったり、あるいは、緩み具合が増加して減速ゾーン１０Ｃに移動したりする。
【００３４】
そこで、繰出し速度の制御について、管理ゾーン１０Ｂに移動する前の繰出し速度から急激に落とすことを避け、回転速度の変化が段階的でなく滑らかに変化するように、ＰＩＤ（比例積分微分）制御が行われる。すなわち、ステップ１１６において、管理用回転数の初期値にステップ幅のｓＨｚ分をアップさせ、これが管理用回転数として設定される（ステップ１１６）。駆動源６には、ステップ１１６で設定された管理用回転数が指示され、この回転数に従いドラム１が駆動され、ケーブルＣは繰り出される（ステップ１１７）。以降、管理ゾーン１０Ｂと加速ゾーン１０Ａとの間をケーブルＣが行き来するような場合には、ステップ１１１、１１２および１１６、１１７が繰り返し行われ、管理用回転数についてはステップ幅をもって増加される。
【００３５】
また、ケーブルＣが管理ゾーン１０Ｂから減速ゾーン１０Ｃに移動して（ステップ１１８、１１９、１２０）、再び管理ゾーン１０Ｂに戻る場合には、上述した加速ゾーン１０Ａと管理ゾーン１０Ｂ間における管理用回転数の増加とは逆にステップ幅をもって減少される（ステップ１１５、１１６、１１７）。本実施例では、少なくとも減速用回転数による繰出し速度は牽引速度よりも遅く設定されているので、ケーブルＣの通過位置が減速ゾーン１０Ｃに移動しても、ケーブルＣの緩み具合が減少して、再び管理ゾーン１０Ｂに戻るように制御される。
【００３６】
なお、ケーブルＣが減速ゾーン１０Ｃから停止ゾーン１０Ｄに移動した場合には、回転数は“０”に設定され、駆動源６は停止され、ドラム１からのケーブルＣの繰出しが停止する（ステップ１２１、１２２）。この状態では、ケーブルＣの緩み具合が減少するのを待機するかたちとなる。またこれは、作業開始のときと同様の状態であるが、管理用回転数は、ケーブルＣが加速ゾーン１０Ａや減速ゾーン１０Ｃから管理ゾーン１０Ｂに移動した量に応じて変更されている。
【００３７】
このように、管理ゾーン１０Ｂでは管理用回転数、すなわち、繰出し速度に幅をもたせているので、繰出し速度を早い段階で牽引速度に追従させることができ、これにより繰出し速度と牽引速度とがほぼ同一の速度となるので、ケーブルＣの緩み具合も安定する。
【００３８】
また、上述した動作を終了させる場合には、不図示の操作パネルからの停止命令に応じて駆動源６による駆動動作および光センサ列３１から３３の検知動作を終了させる処理が実行される（ステップ１１３、１１４）。
【００３９】
なお、上述した実施例では、ケーブルＣの外径が例えば４０ｍｍ程度の太さおよび張りをもつものに適した牽引速度検知ユニット９の配置例が示されている。
【００４０】
以上説明したように、本実施例によれば、ドラム１と牽引機との間に設置した牽引速度検知ユニット９にケーブルＣを挿通させるので、ケーブルＣの動きは牽引速度検知ユニット９の中で規制される。これにより、ケーブルＣの動きは牽引速度検知ユニット９の任意の方向で各光センサ列により検知される。ケーブルＣの通過位置が任意の方向での所定の領域に収束するように、駆動制御部１２により駆動部２の繰出し速度が制御される。これにより、ドラム１と牽引機との間でケーブルＣの緩み具合はほぼ一定となり、ケーブルＣの繰出し速度が牽引機の牽引速度に追従して適正な繰出し速度が得られる。従って、ケーブル布設作業の自動化、能率化を達成するため、牽引機の牽引にスムーズに追従したケーブルの繰出しを実現することができる。
【００４１】
また、牽引速度検知ユニット９が任意の方向で複数のゾーン１０Ａ，１０Ｂ，１０Ｃ，１０Ｄに区分されているので、ケーブルＣは緩み具合に応じて複数のゾーンを行き来する。光センサ列３１、３２、３３による通過位置の検出に伴い駆動制御部１２では通過位置の動きに基づく現在通過中の領域が判定される。この判定領域に対応する繰出し速度が駆動制御部１２により設定される。この繰出し速度で駆動部２によるケーブルＣの繰出しが行われる。従って、牽引機の牽引速度に追従する適正な繰出し速度を迅速に得ることができる。
【００４２】
さらに、牽引速度検知ユニット９の領域毎に基準となる繰出し速度を割り当てたので、駆動部２はケーブルＣの緩み具合に応じて繰出し速度を変化させるように制御される。従って、ケーブルＣの緩み具合に応じて適正な繰出し速度を得ることができる。
【００４３】
そして、ケーブルＣが牽引速度検知ユニット９の所定のゾーン、すなわち、管理ゾーン１０Ｂに移動した場合、管理ゾーン１０Ｂに移る前の繰出し速度に近づくように繰出し速度を増減するので、極端な駆動力の変更を必要とせず、これにより駆動部２への負荷が軽減される。また繰出し速度を常に変化させるようなことはなく、管理ゾーン１０Ｂとこれにとなり合うゾーン１０Ａ，１０Ｃとの間を行き来するケーブルＣの動きは緩やかとなる。これは繰出し速度を変更する頻度を低下させるものであり、駆動部２にかかる負荷が軽減される。従って、駆動部２の耐久性を高めることができる。
【００４４】
さて、上述した実施例では、ケーブルＣの外径が例えば４０ｍｍ程度の太さおよび張りをもつものに適用させた一例を示したが、ケーブルに外径が例えば１２ｍｍ程度の細いものを用いる場合には、牽引速度検知ユニットを設置する位置および角度を変更する。この詳細について、他の実施例で説明する。
【００４５】
図１１は他の実施例による牽引速度検知ユニットの設置例を示す模式図である。他の実施例においても、前述した実施例と同様の構成を備えており、相違する点は、ケーブルＣＣの外径に応じたドラム５１、ドライブローラ５３、フリーローラ５４、そして、牽引速度検知ユニット５９である。この牽引速度検知ユニット５９にも前述の牽引速度検知ユニット９と同様の構成を有しており、光センサ列３１，３２，３３に対応して光センサ列６１，６２，６３が設けられている。
【００４６】
前述の実施例では、ケーブルＣの外径に基づく張りから、図６に示した如く、ケーブルＣの繰出し側が膨らむ形状を呈していたが、この他の実施例では、図１１に示した如く、ケーブルＣＣの引き込み側（ケーブル孔８ｂ側）で垂れる形状を呈している。従って、前述の実施例では、脹らみに対応して牽引速度検知ユニット９がマンホール孔８に設置され、横方向（図６参照）でドラム１との接近あるいは離間するケーブルＣの動きが検知されるが、この他の実施例では、ケーブルＣＣの垂れる具合で緩み具合が判断されるため、縦方向（図１１参照）でドラム５１との接近あるいは離間するケーブルＣＣの動きが検知される。なお、牽引速度検知ユニット５９は、例えば、図１１に一点鎖線で示す如く、ワイヤ部材などの取付け具の一端を接続して、他端をマンホール８に固定することで、マンホール８内の所望の位置に設置することができる。
【００４７】
このように、他の実施例でも、ケーブルＣＣの動きについて、光センサ列６１から６３を用いて、ドラム５１方向への移動とドラム５１からの離間する方向への移動とを検知するようにした構成なので、前述の図９および図１０による制御を適用することができる。従って、他の実施例でも、前述の実施例と同様の効果を得ることができる。
【００４８】
さて、上述した２つの実施例では、牽引速度検知ユニット９、５９の配置の一例を示したに過ぎず、ケーブルが繰出し速度と牽引速度との差から牽引速度検知ユニットのケーブルガードに沿って移動できるのであれば、牽引速度検知ユニットを設置する角度、位置は任意に設定しても良い。
【００４９】
なお、制御部１２はインバータを用いて電動モータを制御する形式のものに限らず、駆動源６を速度可変の流体モータとして、光センサ列からの信号によりこれを制御するようにしてもよい。
【００５０】
また、上述した２つの実施例においては、ケーブルの緩み具合を検出するために、光センサ列を用いたが、これに限定することなく、他の形式の非接触式もしくは接触式のセンサを用いることができる。
【００５１】
ここで、他の形式の非接触式のセンサとしては、例えば超音波を用いたもの、静電容量変化を検出するもの等があり、また、接触式のセンサとしては、例えば揺動アーム等の変位部材に支持させた検知ローラをケーブルに接触させてケーブルの通過位置の変化に追従する揺動アームの変位を検知するもの、ケーブルが貫通する検知環を設けケーブルの通過位置の変化に伴う検知環の変位を検知するもの等がある。
【００５２】
【発明の効果】
以上説明したように、請求項１の発明によれば、ドラムと牽引機との間に設置した挿通部材にケーブルを挿通させるので、ケーブルの動きは挿通部材の中で規制される。これにより、ケーブルの動きは挿通部材の任意の方向でセンサ部により検知される。ケーブルの通過位置が任意の方向での所定の領域に収束するように、駆動制御部により駆動部の繰出し速度が制御される。これにより、ドラムと牽引機との間でケーブルの緩み具合はほぼ一定となり、ケーブルの繰出し速度が牽引機の牽引速度に追従して適正な繰出し速度が得られる。従って、ケーブル布設作業の自動化、能率化を達成するため、牽引機の牽引にスムーズに追従したケーブルの繰出しを実現することができるケーブル繰出し装置を得られる効果がある。また、挿通部材が任意の方向で複数の領域に区分されているので、ケーブルは緩み具合に応じて複数の領域を行き来する。センサによる通過位置の検出に伴い駆動制御部では通過位置の動きに基づく現在通過中の領域が判定される。この判定領域に対応する繰出し速度が駆動制御部により設定される。この繰出し速度で駆動部によるケーブルの繰出しが行われる。従って、請求項１の発明の効果に加え、牽引機の牽引速度に追従する適正な繰出し速度を迅速に得ることができるケーブル繰出し装置を得られる効果がある。そして、挿通部材の領域毎に基準となる繰出し速度を割り当てたので、駆動部はケーブルの緩み具合に応じて繰出し速度を変化させるように制御される。従って、請求項３の発明の効果に加え、ケーブルの緩み具合に応じて適正な繰出し速度を得ることができるケーブル繰出し装置を得られる効果がある。さらに、ケーブルが挿通部材の所定の領域に移動した場合、所定の領域に移る前の繰出し速度に近づくように繰出し速度を増減するので、極端な駆動力の変更を必要とせず、これにより駆動部への負荷が軽減される。また繰出し速度を常に変化させるようなことはなく、所定の領域と他の領域との間を行き来するケーブルの動きは緩やかとなる。これは繰出し速度を変更する頻度を低下させるものであり、駆動部にかかる負荷が軽減される。従って、請求項３の発明の効果に加え、駆動部の耐久性を高めることができるケーブル繰出し装置を得られる効果がある。
【図面の簡単な説明】
【図１】本発明に係るケーブル繰出し装置の一実施例による概略構成を示す外観斜視図である。
【図２】図１に示した駆動部の一例を示す外観斜視図である。
【図３】図１に示した牽引速度検知ユニットの上面図である。
【図４】図１に示した牽引速度検知ユニットの側面図である。
【図５】図１に示した牽引速度検知ユニットの設置状態の一例を示す側面図である。
【図６】図１に示した牽引速度検知ユニットの設置例を示す模式図である。
【図７】図１に示した駆動制御部の内部構成を示すブロック図である。
【図８】図１に示した牽引速度検知ユニット内での基準となる繰出し速度の一例を示す図である。
【図９】本実施例によるドラム駆動制御を説明するフローチャートである。
【図１０】本実施例によるドラム駆動制御を説明するフローチャートである。
【図１１】他の実施例による牽引速度検知ユニットの設置例を示す模式図である。
【符号の説明】
１，５１ ケーブル繰出しドラム（ドラム）
１ａ フランジ部
２ 駆動部
３，５３ ドライブローラ
４，５４ フリーローラ
５ 架台
６ 駆動源
７ タイロッド
８ マンホール孔
９，５９ 牽引速度検知ユニット（センサ部）
１０ ケーブルガード（挿通部材）
３１，３２，３３，６１，６２，６３ 光センサ列
３１ａ，３２ａ，３３ａ 発光部
３１ｂ，３２ｂ，３３ｂ 受光部
１２ 駆動制御部
１３ スイッチ盤
１４ モータ駆動用インバータ
１５ ＣＰＵ（判定手段、速度設定手段、速度増減手段）
１６ ＲＯＭ
１７ ＲＡＭ
【図１】
0003619269.tif 000002
【図２】
0003619269.tif 000003
【図３】
0003619269.tif 000004
【図４】
0003619269.tif 000005
【図５】
0003619269.tif 000006
【図６】
0003619269.tif 000007
【図７】
0003619269.tif 000008
【図８】
0003619269.tif 000009
【図９】
0003619269.tif 000010
【図１０】
0003619269.tif 000011
【図１１】
0003619269.tif 000012